(57)【要約】【課題】配電系統の構成変化によって、各故障電流検出リレー間で保護協調がとれていない状態になると、故障電流の流れた経路を正しく把握することができなくなり、その結果として故障地点が判定できないとか、もしくは故障地点を誤判定するといった事態を招く。【解決手段】配電系統が変化した場合、整定値監視手段１０７により系統変化後の開閉器の故障電流検出リレーの整定値を監視し、もしその整定値が配電線用遮断器に装備された故障電流検出リレーの整定値と整合していないことが判明したとき、適正整定値算出手段１０４により整合する様に開閉器の故障電流検出リレーの整定値を再設定する。整定値設定手段１０３は、この適正整定値算出手段１０４から出力されたリレー整定値を前記遠方監視制御装置１０２を介して整定値設定対象の開閉器に装備されている故障電流検出リレーに対して設定制御を行う。【選択図】  図１
2004343922.tif 000002
【特許請求の範囲】
【請求項１】
配電線用遮断器に接続され区分開閉器によって適宜の配電区間に区分された配電系統における前記配電線用遮断器の投入遮断状態信号と、前記区分開閉器の開閉状態信号と、配電線の連係点に位置する開閉器の開閉状態信号と、前記配電線用遮断器、各区分開閉器および連係点に位置する開閉器にそれぞれ装備されて各配電区間に流れる故障電流を検出する故障電流検出リレーの故障検出信号と、配電区間相互がどのように接続されているかを示す情報および前記配電線用遮断器の投入遮断状態信号および前記各開閉器の開閉状態信号から得られる配電区間相互が電気的にどのように接続されているかを示すつながり情報と、各配電線の負荷電流情報と、予め設定されているかあるいは遠方監視制御装置を介して取得した区間負荷電流情報と、配電系統を構成する各設備機器の諸元情報と、過去の実績あるいは予測から導出した将来の負荷電流の変化を単位時間毎に表した負荷曲線情報とを用いて配電系統の運用を行う配電系統監視制御装置において、
遠方監視制御装置が取得した各配電線用遮断器の故障電流検出リレーの整定値を入力して保持するリレー整定値設定情報ファイルと、
予め定義された整定値監視条件のもとで、前記遠方監視制御装置を介して監視制御対象配電系統の状態情報を監視し、系統状態の変化によって配電線用遮断器のリレー整定値と開閉器のリレー整定値との間に不整合が生じるか否かを判定する整定値監視手段と、
この整定値監視手段によって不整合と判定されたとき、前記リレー整定値設定情報ファイルに格納されているリレー整定値設定情報を用いて該当する故障電流検出リレーの整定値を、前記リレー整定値設定情報と整合するように算出する適正整定値算出手段と、
前記適正整定値算出手段が算出したリレー整定値を、遠方監視制御装置を介して対象開閉器の故障電流検出リレーに設定制御する整定値設定手段と、
を有することを特徴とする配電系統監視制御装置。
【請求項２】
配電線用遮断器に接続され区分開閉器によって適宜の配電区間に区分された配電系統における前記配電線用遮断器の投入遮断状態信号と、前記区分開閉器の開閉状態信号と、配電線の連係点に位置する開閉器の開閉状態信号と、前記配電線用遮断器、各区分開閉器および連係点に位置する開閉器にそれぞれ装備されて各配電区間に流れる故障電流を検出する故障電流検出リレーの故障検出信号と、配電区間相互がどのように接続されているかを示す情報および前記配電線用遮断器の投入遮断状態信号および前記各開閉器の開閉状態信号から得られる配電区間相互が電気的にどのように接続されているかを示すつながり情報と、各配電線の負荷電流情報と、予め設定されているかあるいは遠方監視制御装置を介して取得した区間負荷電流情報と、配電系統を構成する各設備機器の諸元情報と、過去の実績あるいは予測から導出した将来の負荷電流の変化を単位時間毎に表した負荷曲線情報とを用いて配電系統の運用を行う配電系統監視制御装置において、
遠方監視制御装置が取得した各配電線用遮断器の故障電流検出リレーの整定値を入力して保持するリレー整定値設定情報ファイルと、
前記遠方監視制御装置を介して監視制御対象配電系統の拡張や変更などによる設備機器の増設・変更が検出された場合、監視制御対象系統内の開閉器のリレー整定値の再設定が必要か否かを、予め定められたまたは運用者が任意に設定した条件のもとで判定する設備変更内容判定手段と、
この設備変更内容判定手段によってリレー整定値の再設定が必要と判定された場合、前記リレー整定値設定情報ファイルに格納されているリレー整定値設定情報を用いて該当する故障電流検出リレーの整定値を、前記リレー整定値設定情報と整合するように算出する適正整定値算出手段と、
前記適正整定値算出手段が算出したリレー整定値を、遠方監視制御装置を介して対象開閉器の故障電流検出リレーに設定制御する整定値設定手段と、
を有することを特徴とする配電系統監視制御装置。
【請求項３】
前記リレー整定値設定情報ファイルに格納される各配電線用遮断器の故障電流検出リレーの整定値は、遠方監視制御装置で取得して入力する代わりに、整定値入力手段によって入力することを特徴とする請求項１または２記載の配電系統監視制御装置。
【請求項４】
配電線用遮断器に接続され区分開閉器によって適宜の配電区間に区分された配電系統の各配電区間相互がどのように接続されているかを示す情報および配電線用遮断器の投入遮断状態信号および開閉器の開閉状態信号から得られる配電区間相互が電気的にどのように接続されているかを示すつながり情報と、各配電線の負荷電流情報と、予め設定されているかあるいは遠方監視制御装置を介して取得した区間負荷電流情報と、配電系統を構成する各設備機器の諸元情報とを用いて、任意の系統故障について故障電流計算を行なう故障電流計算手段と、前記任意の系統の故障情報を設定する故障情報設定手段と、故障電流計算手段を実行する時刻または周期を設定する時刻周期設定手段と、前記故障電流計算手段が算出した故障電流値から前記配電線用遮断器および開閉器に装備されている故障電流検出リレーの適正整定値を算出する適正整定値算出手段と、を有することを特徴とする配電系統監視制御装置。
【請求項５】
過去の実績あるいは予測から導出した将来の負荷電流の変化を単位時間毎に表した負荷曲線情報と、この負荷曲線情報に基づいて将来の任意の時刻における各配電線の負荷電流情報および将来の任意の時刻における区間負荷電流情報を予測する負荷予測手段を設けたことを特徴とする請求項５記載の配電系統監視制御装置。
【請求項６】
請求項１ないし請求項５記載の各種の情報を格納するファイルおよび機能実現手段を全て備え、このうち任意の適正整定値算出手段を個々に活殺するリレー整定値設定機能活殺手段を設けたことを特徴とする請求項１ないし請求項５記載の配電系統監視制御装置。
【発明の詳細な説明】
【０００１】
【発明の属する技術分野】
本発明は配電系統の系統状態を監視制御する配電系統監視制御装置に関する。
【０００２】
【従来の技術】
従来、配電系統に故障が発生した場合、一般に次のような故障地点判定方法が採用されている。すなわち、各開閉器の故障電流検出リレーの故障検出信号と、配電区間相互が電気的にどのように接続されているかを示すつながり情報とから故障電流の流れた経路を把握し、この経路の末端部分が故障地点であると判定する方法である。
【０００３】
ここで、つながり情報とは、配電区間相互がどのように接続されているかを示す情報、配電線用遮断器の投入・遮断状態信号および開閉器の開閉状態信号から得られる情報である。
【０００４】
各開閉器に装備した故障電流検出リレーの整定値設定は、故障電流検出リレーを開閉器に新たに装備する場合や、故障電流検出リレーの不正動作が度重なった場合などに実施しており、配電系統の一時的な変化に伴う整定値設定は実施していなかった。
【０００５】
このため、配電系統が系統操作などによって変化した場合または配電系統が拡張または変更などによって変化した場合など、配電線用遮断器の故障電流検出リレーおよび配電系統を構成する各開閉器の故障電流検出故障電流検出リレー間の保護協調がとれていない状態（故障電流を検出できない故障電流検出リレーや正常な範囲であっても故障電流として検出してしまう故障電流検出リレーが存在する状態）で配電系統の運用が長い時間継続されることが懸念される。
【０００６】
また、配電系統に流れる電流が電力需要の推移により変化した場合は、配電線用遮断器の故障電流検出リレーおよび配電系統を構成する各開閉器の故障電流検出リレーに当初設定した整定値が不適切な値となり、この場合も故障電流を検出できないかまたは正常な電流でも故障電流として検出してしまうという事態を招くことも懸念される。
【０００７】
【発明が解決しようとしている課題】
このように各故障電流検出リレー間で保護協調がとれていない状態になったり、電力需要の推移により当初設定した整定値が不適切な状態になると、故障電流の流れた経路を正しく把握することができなくなり、その結果として故障地点が判定できないとか、もしくは故障地点を誤判定するといった事態を招くことが懸念されていた。
【０００８】
本発明の目的は、配電系統が系統操作、拡張または変更などによって変化した場合、あるいは配電系統に流れる電流が電力需要の推移により変化した場合であっても、配電線用遮断器および各開閉器にそれぞれ装備した故障電流検出リレー間で常に保護協調がとるようにして、故障地点判定の誤りを防止することのできる配電系統監視制御装置を提供することにある。
【０００９】
【課題を解決するための手段】
上記の目的を達成するため、請求項１に係る配電系統監視制御装置の発明は、配電線用遮断器に接続され区分開閉器によって適宜の配電区間に区分された配電系統における前記配電線用遮断器の投入遮断状態信号と、前記区分開閉器の開閉状態信号と、配電線の連係点に位置する開閉器の開閉状態信号と、前記配電線用遮断器、各区分開閉器および連係点に位置する開閉器にそれぞれ装備されて各配電区間に流れる故障電流を検出する故障電流検出リレーの故障検出信号と、配電区間相互がどのように接続されているかを示す情報および前記配電線用遮断器の投入遮断状態信号および前記各開閉器の開閉状態信号から得られる配電区間相互が電気的にどのように接続されているかを示すつながり情報と、各配電線の負荷電流情報と、予め設定されているかあるいは遠方監視制御装置を介して取得した区間負荷電流情報と、配電系統を構成する各設備機器の諸元情報と、過去の実績あるいは予測から導出した将来の負荷電流の変化を単位時間毎に表した負荷曲線情報とを用いて配電系統の運用を行う配電系統監視制御装置において、遠方監視制御装置が取得した各配電線用遮断器の故障電流検出リレーの整定値を入力して保持するリレー整定値設定情報ファイルと、予め定義された整定値監視条件のもとで、前記遠方監視制御装置を介して監視制御対象配電系統の状態情報を監視し、系統状態の変化によって配電線用遮断器のリレー整定値と開閉器のリレー整定値との間に不整合が生じるか否かを判定する整定値監視手段と、この整定値監視手段によって不整合と判定されたとき、前記リレー整定値設定情報ファイルに格納されているリレー整定値設定情報を用いて該当する故障電流検出リレーの整定値を、前記リレー整定値設定情報と整合するように算出する適正整定値算出手段と、前記適正整定値算出手段が算出したリレー整定値を、遠方監視制御装置を介して対象開閉器の故障電流検出リレーに設定制御する整定値設定手段と、を有することを特徴とする。
【００１０】
また、請求項２に係る配電系統監視制御装置の発明は、配電線用遮断器に接続され区分開閉器によって適宜の配電区間に区分された配電系統における前記配電線用遮断器の投入遮断状態信号と、前記区分開閉器の開閉状態信号と、配電線の連係点に位置する開閉器の開閉状態信号と、前記配電線用遮断器、各区分開閉器および連係点に位置する開閉器にそれぞれ装備されて各配電区間に流れる故障電流を検出する故障電流検出リレーの故障検出信号と、配電区間相互がどのように接続されているかを示す情報および前記配電線用遮断器の投入遮断状態信号および前記各開閉器の開閉状態信号から得られる配電区間相互が電気的にどのように接続されているかを示すつながり情報と、各配電線の負荷電流情報と、予め設定されているかあるいは遠方監視制御装置を介して取得した区間負荷電流情報と、配電系統を構成する各設備機器の諸元情報と、過去の実績あるいは予測から導出した将来の負荷電流の変化を単位時間毎に表した負荷曲線情報とを用いて配電系統の運用を行う配電系統監視制御装置において、遠方監視制御装置が取得した各配電線用遮断器の故障電流検出リレーの整定値を入力して保持するリレー整定値設定情報ファイルと、前記遠方監視制御装置を介して監視制御対象配電系統の拡張や変更などによる設備機器の増設・変更が検出された場合、監視制御対象系統内の開閉器のリレー整定値の再設定が必要か否かを、予め定められたまたは運用者が任意に設定した条件のもとで判定する設備変更内容判定手段と、この設備変更内容判定手段によってリレー整定値の再設定が必要と判定された場合、前記リレー整定値設定情報ファイルに格納されているリレー整定値設定情報を用いて該当する故障電流検出リレーの整定値を、前記リレー整定値設定情報と整合するように算出する適正整定値算出手段と、前記適正整定値算出手段が算出したリレー整定値を、遠方監視制御装置を介して対象開閉器の故障電流検出リレーに設定制御する整定値設定手段と、を有することを特徴とする。
【００１１】
さらに、請求項４に係る配電系統監視制御装置の発明は、配電線用遮断器に接続され区分開閉器によって適宜の配電区間に区分された配電系統の各配電区間相互がどのように接続されているかを示す情報および配電線用遮断器の投入遮断状態信号および開閉器の開閉状態信号から得られる配電区間相互が電気的にどのように接続されているかを示すつながり情報と、各配電線の負荷電流情報と、予め設定されているかあるいは遠方監視制御装置を介して取得した区間負荷電流情報と、配電系統を構成する各設備機器の諸元情報とを用いて、任意の系統故障について故障電流計算を行う故障電流計算手段と、前記任意の系統の故障情報を設定する故障情報設定手段と、故障電流計算手段を実行する時刻または周期を設定する時刻周期設定手段と、前記故障電流計算手段が算出した故障電流値から前記配電線用遮断器および開閉器に装備されている故障電流検出リレーの適正整定値を算出する適正整定値算出手段と、を有することを特徴とする。
【００１２】
【発明の実施の形態】
以下、図面を参照して本発明の実施の形態について説明する。なお、各実施の形態の図を通して同一の要素および機能については、同一符号または関連符号をつけて対応させることにより説明を省略する。
【００１３】
（第１の実施の形態）
図１は、本発明による配電系統監視制御装置の第１の実施の形態を示す構成図である。
図１において、ＤＡ、ＤＢは配電線用遮断器ＦＣＢ−ＡおよびＦＣＢ−Ｂによって図示しない変電所母線に接続された配電系統であり、一方の配電系統ＤＡは区分開閉器ＳＷ−Ａ、ＳＷ−ＢおよびＳＷ−Ｃにより複数の配電区間ＤＡ１、ＤＡ２、ＤＡ３およびＤＡ４に区分され、また他方の配電系統ＤＢは区分開閉器ＳＷ−Ｅにより配電区間ＤＢ１、ＤＢ２に区分されている。そしてこれら配電系統ＤＡ、ＤＢの末端区間ＤＡ４、ＤＢ２は区分開閉器ＳＷ−Ｄにより連係接続されている。この末端の接続部を連係点と言う。
【００１４】
図示した配電系統の運用時は、連係点（黒丸印）の区分開閉器ＳＷ−Ｄは常開に、他の白丸印の区分開閉器は常閉にそれぞれ設定されている。このため、配電区間ＤＡ１、ＤＡ２、ＤＡ３およびＤＡ４には配電線用遮断器ＦＣＢ−Ａを通して電力が供給され、一方配電区間ＤＢ１およびＤＢ２には配電線用遮断器ＦＣＢ−Ｂを通して電力が供給される。
【００１５】
また、各配電線用遮断器ＦＣＢ−ＡおよびＦＣＢ−Ｂ、各区分開閉器ＳＷ−Ａ、ＳＷ−Ｂ、ＳＷ−Ｃ、ＳＷ−ＤおよびＳＷ−Ｅにはそれぞれ故障電流検出リレーＲｙ−ＦＡ、Ｒｙ−ＦＢ、Ｒｙ−Ａ、Ｒｙ−Ｂ〜Ｒｙ−Ｅを装備している。
【００１６】
１０２は遠方監視制御装置であり、配電線用遮断器ＦＣＢ−Ａ、ＦＣＢ−Ｂの投入遮断状態信号、各開閉器ＳＷ−Ａ、ＳＷ−Ｂ、ＳＷ−Ｃ、ＳＷ−Ｄ、ＳＷ−Ｅの開閉状態信号、各配電線の区間負荷電流、配電線用遮断器ＦＣＢ−Ａ、ＦＣＢ−Ｂに装備した故障電流検出リレーＲｙ−ＦＡ、Ｒｙ−ＦＢの整定値等の入力情報を監視するとともに、各区間負荷電流情報、リレー整定値を後述する配電系統監視制御装置１０１に渡し、逆に後述する配電系統監視制御装置１０１からのリレー整定値設定情報を前記各故障電流検出リレーに渡すように機能する。
【００１７】
前記配電系統監視制御装置１０１は、電子計算機等のディジタル演算装置によって構成される各種の機能実現手段の他に各種情報を格納する複数の情報ファイルを備えている。この機能実現手段は、前記遠方監視制御装置１０２を介して取得した上記配電線用遮断器の投入遮断状態信号、各開閉器の開閉状態信号および投入遮断信号と開閉器状態信号から作成する配電系統のつながり情報、配電線の各区間負荷電流情報および前記各故障電流検出リレーの情報や予め設定されている各種情報を用いて前記各配電線用遮断器および各開閉器を監視し、その監視結果に基づいて前記遠方監視制御装置１０２を介して前記故障電流検出リレーＲｙ−Ａ、Ｒｙ−Ｂ〜Ｒｙ−Ｅに対して整定値制御を行うように機能する。
【００１８】
以下、配電系統監視制御装置１０１について詳細に説明する。配電系統監視制御装置１０１は、各種の情報を格納するファイルとして、リレー整定値設定情報ファイル１０５、負荷電流情報ファイル１０８、区間負荷電流情報ファイル１０９、負荷曲線情報ファイル６０３、つながり情報ファイル１１０および諸元情報ファイル１１１等の各種情報ファイルを備えている。
【００１９】
ここで、前記リレー整定値設定情報ファイル１０５は、前記遠方監視制御装置１０２を介して取得した各配電線用遮断器ＦＣＢ−ＡおよびＦＣＢ−Ｂの故障電流検出リレーＲｙ−ＦＡ、Ｒｙ−ＦＢの整定値を保持するファイルであり、負荷電流情報ファイル１０８とは、各配電線の負荷電流値を保存するファイルである。
【００２０】
また、区間負荷電流情報ファイル１０９とは予め設定されているかあるいは前記遠方監視制御装置１０２を介して取得した配電線各区間の負荷電流情報をするファイルであり、負荷曲線情報ファイル６０３とは過去の実績または予測から導出した将来の負荷電流の変化を単位時間毎に表した情報を格納するファイルであり、諸元情報ファイル１１１とは配電系統を構成する各設備機器の定格値などの諸元情報を格納するファイルである。
【００２１】
さらに、つながり情報ファイル１１０とは配電区間相互がどのように接続されているかを示す情報、配電線用遮断器の投入遮断状態信号および開閉器の開閉状態信号から得られる配電区間相互が電気的にどのように接続されているかを示すつながり情報を格納するファイルである。
【００２２】
一方、配電系統監視制御装置１０１は、各種の機能実現手段として、整定値監視手段１０７、適正整定値算出手段１０４および整定値設定手段１０３等の機能実現手段を備えている。
【００２３】
ここで、前記整定値監視手段１０７は、整定値監視条件１０６によって定められた周期や動作条件で監視制御対象の配電系統の状態変化を監視し、系統状態の変化によって、配電線用遮断器のリレー整定値と開閉器のリレー整定値との間に不整合が生じるかどうかを判定する。
【００２４】
適正整定値算出手段１０４は、この整定値監視手段１０７から出力される前記故障電流検出リレーＲｙ−Ａ、Ｒｙ−Ｂ〜Ｒｙ−Ｅの整定値と前記ファイル１０５に設定されているリレー整定値設定情報とを比較して両者の保護協調がとれているかどうかの確認、すなわち、整定値監視手段１０７の出力とリレー整定値設定情報ファイル１０５の記憶内容とが同値であるか否かを確認し、同値の場合その整定値をそのまま出力し、同値でない場合開閉器のリレー整定値を遮断器のリレー整定値に合せるように整定値を算出して出力する。
【００２５】
整定値設定手段１０３は、この適正整定値算出手段１０４から出力されたリレー整定値を前記遠方監視制御装置１０２に出力し、この遠方監視制御装置１０２から整定値設定対象の開閉器に装備されている故障電流検出リレーの設定制御を行う。
【００２６】
図２は前記負荷電流情報ファイル１０８の構成の一例を示す図であり、各配電線遮断器ＦＣＢ−Ａ、ＦＣＢ−Ｂ、ＦＣＢ−Ｃ…ＦＣＢ−ｎに接続される配電線ＤＡ、ＤＢ、ＤＣ…Ｄｎに流れる負荷電流の値を格納している。図３は区間負荷電流情報ファイル１０９の構成の一例を示す図であり、図ではＦＣＢ−Ａに接続される配電系統ＤＡの各配電線ＤＡ１、ＤＡ２、ＤＡ３…ＤＡｎに流れる各区間負荷電流情報を格納している。また、図４は諸元情報を格納するファイルの構成の一例を示す図であり、配電系統を構成する各設備機器（配電線遮断器ＦＣＢ，区分開閉器ＳＷ，区間…）毎に定格値等の諸元情報、例えば配電線遮断器ＦＣＢであれば、その結線方式、周波数、電圧…が、区分開閉器ＳＷであれば容量…が、また各配電区間であれば経路長、インピーダンス、断面積…が、それぞれ格納されている。
【００２７】
そして図６は負荷曲線情報ファイル６０３の構成の一例を示す図であり、各配電線ＤＡ、ＤＢ…、Ｄｎ、そして区分された各区間ＤＡ１、ＤＡ２…ＤＡｌは単位時間（０：００、１：００、…２３：００）毎に過去の実績または予測から導出した将来の負荷電流値を記憶している。
【００２８】
次に、以上のように構成した配電系統監視制御装置１０１の作用について説明する。整定値監視条件１０６によって動作条件が定義された整定値監視手段１０７は、遠方監視制御装置１０２が取得した監視制御対象である配電系統の状態情報を監視する。ここで配電系統の状態情報とは、遠方監視制御装置１０２を介して入力される配電系統構成設備機器（配電線遮断器、開閉器、各区間等）の入切状態情報、運用状態情報、異常状態情報や、運転員からの連絡を元に配電系統監視制御装置１０１内の設備機器情報を設定した内容およびリレー整定値などである。
【００２９】
整定値監視手段１０７は、遠方監視制御装置１０２を介して入力される系統状態に変化があった場合、その変化により配電系統のリレー整定値に不整合が生じるかどうかを判定する。
【００３０】
図１に示すように、当初配電系統ＤＡおよびＤＢの連係点は区分開閉器ＳＷ−Ｄであったが、系統操作による配電系統状態の変化または系統操作を伴わない配電系統状態の変化により連係点が区分開閉器ＳＷ−ＤからＳＷ−Ｂに変更されたとき、区分開閉器ＳＷ−Ｃの所属は当初の配電線用遮断器ＦＣＢ−Ａ側からＦＣＢ−Ｂ側に移り替わる。
【００３１】
整定値監視手段１０７は、区分開閉器の所属替えが行われたとき、配電線用遮断器ＦＣＢ−Ａの故障電流検出リレーの整定値と、ＦＣＢ−Ｂの故障電流検出リレーの整定値とが互いに異なっていたとすると、リレー整定値に不整合が生じると判定し、適正整定値算出手段１０４に対して整定値の更新が必要であることを通知する。例えば、ＦＣＢ−Ａ側の配電線は整定値が３０［Ａ］、ＦＣＢ−Ｂ側の配電線は整定値が３５［Ａ］に設定されているものとする。そして前述のように区分開閉器ＳＷ−Ｃの所属が当初の配電線用遮断器ＦＣＢ−Ａ側からＦＣＢ−Ｂ側に変化したときに、区分開閉器ＳＷ−Ｃに装備されている故障電流検出リレーの整定値は、３５［Ａ］に切替わるべきところ、３０［Ａ］の状態になっている。
そこで、整定値監視手段１０７は区分開閉器ＳＷ−Ｃの故障電流検出リレーの整定値が３０［Ａ］という内容を出力する。
【００３２】
適正整定値算出手段１０４は、整定値監視手段１０７の出力を入力して、この入力情報と前記リレー整定値設定情報ファイル１０５に格納されている情報とを比較し、前記区分開閉器ＳＷ−Ｃに対して該当するリレー整定値設定情報ファイル１０５に格納されている情報に基づいて、３５［Ａ］というリレー整定値を算出し、出力する。
【００３３】
整定値設定手段１０３は、この適正整定値算出手段１０４の算出結果を受けて遠方監視制御装置１０２を介して該当する区分開閉器ＳＷ−Ｃに装備された故障電流検出リレーの整定値を３５［Ａ］という適正な値に設定制御する。
【００３４】
以上述べたように、第１の実施の形態によれば、配電系統に変化が発生し、変化後において区分開閉器に装備された故障電流検出リレーの整定値が変化しても、速やかに変化後の配電系統側の配電線用遮断器に装備された故障電流検出リレーと整合する整定値に再設定することができるため、配電系統に変化後も故障電流検出リレー間の保護協調がとれた状態を保持することができる。このように、常に故障電流検出リレー間の保護協調がとれるため、配電線用遮断器が遮断したのに、区分開閉器に装備した故障電流検出リレーが故障電流を検出しないというような不一致になる事態を防止することができ、故障地点判定の誤りを防止することができる。
【００３５】
（第２の実施の形態）
図６は、本発明による配電系統監視制御装置の第２の実施の形態を示す構成図である。本実施の形態は、図６で示すように前記第１の実施の形態の一部の機能を変更したもので、前記第１の実施の形態がリレー整定値設定情報ファイル１０５の情報を遠方監視制御装置１０２を介して実際の配電系統からの情報を取り入れるのに対し、本実施の形態の場合は配電系統監視制御装置２０１に整定値入力手段２０２を新たに設けて、この整定値入力手段２０２から整定値を取り入れるように構成したものである。
【００３６】
この整定値入力手段２０２は、配電系統毎に監視制御対象系統内の配電線用遮断器ＦＣＢ−Ａ、ＦＣＢ−Ｂ、区分開閉器ＳＷ−Ａ、ＳＷ−Ｂ、ＳＷ−Ｃ、ＳＷ−Ｄ、ＳＷ−Ｅにそれぞれ装備した故障電流検出リレーＲｙ−ＦＡおよびＲｙ−ＦＢ、Ｒｙ−Ａ、Ｒｙ−Ｂ〜Ｒｙ−Ｅの整定値を各配電区間単位ＤＡ１〜ＤＡ４、ＤＢ２に入力して設定するように構成されている。
その他については第１の実施の形態の場合と同じなので説明を省略する。
【００３７】
次に、本実施の形態の作用について説明する。
整定値入力手段２０２は、監視制御対象系統内の配電線用遮断器ＦＣＢ−Ａ、ＦＣＢ−Ｂ、区分開閉器ＳＷ−Ａ、ＳＷ−Ｂ〜ＳＷ−Ｅにそれぞれ装備された故障電流検出リレーＲｙ−ＦＡ、Ｒｙ−ＦＢ、Ｒｙ−Ａ、Ｒｙ−Ｂ〜Ｒｙ−Ｅの整定値を各配電区間単位に入力して設定し、この設定した情報をリレー整定値設定情報ファイル１０５に保存する。
【００３８】
なお、この他の作用すなわち整定値監視手段１０７が配電系統の状態を監視し、リレー整定値の不整合発生を予想して適正整定値算出手段１０４に通知し、該当機器に対してリレー整定値を再設定する方法については、第１の実施の形態で述べたとおりであるので説明を省略する。
【００３９】
以上のように、第２の実施の形態によれば、配電系統に変化が発生しても、変化があった配電系統に所属する配電線用遮断器および各区分開閉器の故障電流検出リレーは、速やかにそれぞれが整合した整定値に設定し直すことができるため、故障電流検出リレー間の保護協調がとれた状態を保持することができる。
【００４０】
このように常にリレーの保護協調がとれているため、ある区分開閉器の故障電流検出リレーが、故障電流を検出しているのに、別の区分開閉器の故障電流検出リレーが故障電流を検出していないというような不一致になる事態を防止することができ、故障地点判定の誤りを防止することができる。
【００４１】
また、再設定するリレー整定値を、運用者が運用状況に応じて整定値入力手段２０２を介して任意に設定できるため、故障検出の精度をきめ細かく調整することができる。
【００４２】
（第３の実施の形態）
図７は、本発明による配電系統監視制御装置の第３の実施の形態を示す構成図である。本実施の形態の配電系統監視制御装置３０１は、図７で示すように、図１の整定値監視条件１０６および整定値監視手段１０７の替わりに設備変更内容判定条件３０１および設備変更内容判定手段３０２を新たに備えるように構成したものである。その他は図１の場合と同じなので説明は省略する。
【００４３】
本実施の形態による配電系統監視制御装置３０１は、配電系統の拡張や変更などにより配電系統を構成する設備機器が増設または変更された場合に、それに伴って監視制御対象系統内の区分開閉器に装備した故障電流検出リレーの整定値の再設定が必要かどうかを予め定められた条件または運用者が任意に設定した条件に基づいて判定する設備変更内容判定手段３０２を設け、さらにこの設備変更内容判定手段３０２の動作する条件を定義する設備変更内容判定条件３０３を備えるように構成したものである。
【００４４】
前記設備変更内容判定条件３０３は、監視制御対象系統内の開閉器のリレー整定値に対して再設定が必要となる配電系統を構成する設備機器の増設あるいは変更内容を前記設備変更内容判定手段３０２が動作する条件として定義するものである。
【００４５】
前記設備変更内容判定手段３０２は、遠方監視制御装置１０２を介して入力する入切情報、および前記設備変更内容判定条件３０３によって定義された動作条件に基づいて、監視制御対象である配電系統に対する拡張や変更などによる配電系統を構成する設備機器（区分開閉器）の増設あるいは変更を監視する。
【００４６】
図７に示すように、当初区分開閉器ＳＷ−Ｄが配電系統ＤＡおよびＤＢの連係であったが、その後連係点が開閉器ＳＷ−ＤからＳＷ−Ｂに変更になると、変更範囲に含まれる開閉器ＳＷ−Ｃへの電力供給配電線がＤＡからＤＢに変更になる。
【００４７】
設備変更内容判定手段３０２は、変更前の配電線遮断器ＦＣＢ−Ａと変更後の配電線遮断器ＦＣＢ−Ｂの故障電流検出リレーＲｙ−ＦＡ、Ｒｙ−ＦＢの整定値が互いに異なっている場合、故障電流検出リレーの整定状態に不整合が生じるおそれがあることを理由にリレー整定値の再設定が必要であると判定し、その結果を適正整定値算出手段１０４に対して整定値の更新が必要であることを通知する。
【００４８】
また、設備変更内容判定手段３０２は、設備機器の変更内容が開閉器ＳＷ−Ｅの取替えのように、リレー整定値に影響を及ぼさないものであれば、故障電流検出リレーの整定値の再設定は不要であると判定するが、設備機器変更によりリレー整定値の再設定が必要であると判断した場合、適正整定値算出手段１０４に対して整定値の更新が必要であることを通知する。
【００４９】
適正整定値算出手段１０４は、適正整定値算出手段１０４からの通知を受けて整定値の算出が必要なＳＷ−Ｃに対して、該当するリレー整定値設定情報１０５に基づいたリレー整定値を算出し出力する。
整定値設定手段１０３は、設備変更内容判定手段３０２の算出結果に基づいて開閉器ＳＷ−Ｃに装備された故障電流検出リレーＲｙＣの整定値を設定制御する。
【００５０】
以上述べたように第３の実施の形態によれば、配電系統に拡張または変更があっても、当該配電系統に所属する全区分開閉器に装備された故障電流検出リレーは、速やかに当該配電線の配電線用遮断器に装備された故障電流検出リレーと整合した整定値に設定することができるため、故障電流検出リレー間の保護協調がとれた状態を保持することができる。
【００５１】
このように常に故障電流検出リレー間の保護協調がとれているため、配電線用遮断器が遮断したのに、開閉器は故障電流を検出していないというような不一致になる事態を防止することができ、故障地点判定の誤りを防止することができる。
【００５２】
（第４の実施の形態）
図８は、本発明による配電系統監視制御装置の第４の実施の形態を示す構成図である。この第４の実施の形態による配電系統監視制御装置４０１は、第２の実施の形態の一部と第３の実施の形態の一部とを併せて構成したものである。
【００５３】
すなわち、本実施の形態による配電系統監視制御装置４０１の整定値入力手段２０２およびこの整定値入力手段２０２によって入力された整定値を保存するリレー整定値設定情報１０５は、第２の実施の形態で述べた整定値入力手段２０２およびリレー整定値設定情報１０５と同じである。また、設備変更内容判定手段３０２が配電系統の拡張や変更などにより配電系統を構成する設備機器が増設あるいは変更された場合に、その増設あるいは変更により監視制御対象系統内の開閉器のリレー整定値を再設定する要否を判定し、さらに判定結果を適正整定値算出手段１０４に通知し、該当機器に対してリレー整定値を再設定する方法は、第３の実施の形態に述べたとおりである。
【００５４】
以上のように本実施の形態によれば、配電系統の拡張または変更があっても、変更があった配電線に所属する配電線用遮断器および各区分開閉器に装備した故障電流検出リレーを、速やかに整合した整定値に再設定することができ、故障電流検出リレー間の保護協調がとれている状態を保持することができる。
【００５５】
この結果、ある開閉器の故障電流検出リレーは、故障電流を検出しているのに、別の開閉器の故障電流検出リレーは、故障電流を検出していないというような不一致になる事態を防止することができ、故障地点判定の誤りを防止することができる。
【００５６】
また、再設定するリレー整定値を、運用状況に応じて整定値入力手段により運用者が任意に設定できるため、故障検出の精度をきめ細かく調整することができる。
【００５７】
（第５の実施の形態）
図９は、本発明による配電系統監視制御装置の第５の実施の形態を示す構成図である。
本実施の形態は、配電系統を流れる電流の状況に応じて開閉器の故障電流検出リレー整定値を設定制御することができるようにしたものである。このために、本実施の形態による配電系統監視制御装置５０１は、整定値監視手段１０７および整定値監視条件１０６に代えて故障電流計算手段５０３および故障情報設定手段５０４を設け、さらに故障電流計算手段５０３の実行する時刻または周期を設定するための時刻周期設定手段５０２を設けている。また、故障電流計算手段５０３は負荷電流情報ファイル１０８、区間負荷電流ファイル１０９、つながり情報ファイル１１０および諸元情報ファイル１１１からそれぞれの格納情報を入力するように構成している。
【００５８】
以上の構成において、配電系統監視制御装置５０１は、遠方監視制御装置１０２により配電線用遮断器ＦＣＢ−Ａの投入・遮断状態および開閉器ＳＷ−Ａ〜ＳＷ−Ｄの開閉状態を監視し、この監視結果から配電区間相互がどのように接続されているかを示すつながり情報を作成しファイル１１０に格納する。
【００５９】
故障電流計算手段５０３は、前記時刻周期設定手段５０２によって設定された時刻または周期で、故障情報設定手段５０４による想定故障内容（１線地絡、三相短絡、線間短絡等の故障様相および故障地点）と、つながり情報１１０、負荷電流情報１０８、区間負荷電流情報１０９および諸元情報１１１とを用いて故障電流計算法により故障電流値を算出する。
【００６０】
適正整定値算出手段１０４は、前記故障電流計算手段５０３により算出された故障電流値から設定すべき故障電流検出リレーの整定値を求める。この適正整定値算出手段１０４が得た故障電流検出リレーの整定値は整定値設定手段１０３へ通知される。整定値設定手段１０３は、この通知を受けて遠方監視制御装置１０２を介して故障電流検出リレー整定値を適正整定値へ設定制御する。
【００６１】
以上述べたように第５の実施の形態によれば、配電系統を流れる電力の状況に応じたリレー整定値を故障電流検出リレーへ設定制御することができる。これにより故障電流の検出が正確にできるようになり、故障地点の判定を正確に実施できる。
【００６２】
（第６の実施の形態）
図１０は、本発明による配電系統監視制御装置の第６の実施の形態を示す構成図である。本実施の形態による配電系統監視制御装置６０１は、第５の実施の形態（図９）に対して、過去の実績または予測から導出した将来の負荷電流の変化を単位時間毎に表した負荷曲線情報６０３と、この負荷曲線情報６０３から将来の任意の時刻における負荷電流情報１０８´および区間負荷電流情報１０９´を予測する負荷予測手段６０２とを追加したものである。
【００６３】
配電系統監視制御装置６０１が、遠方監視制御装置１０２により配電線用遮断器の投入遮断状態、開閉器の開閉状態を監視し、この結果から配電区間相互がどのように接続されているかを示すつながり情報１１０を作成することは既に述べた実施の形態と同じである。
【００６４】
負荷予測手段６０２は、負荷曲線情報ファイル６０３に格納されている負荷曲線情報から将来の任意の時刻における負荷電流情報および区間負荷電流情報を予測する。なお、１０８´は負荷電流情報ファイル、１０９´は区間負荷電流情報ファイルである。また、負荷曲線情報６０３は一例を既に図５で示したように、各配電線ＤＡ、ＤＢ…、Ｄｎ、そして区分された各区間ＤＡ１、ＤＡ２…ＤＡｌは単位時間（０：００、１：００、…２３：００）毎に過去の実績または予測から導出した将来の負荷電流値を記憶している。
【００６５】
故障情報設定手段５０４は、想定する故障内容を（１線地絡、三相短絡、線間短絡といった故障様相および故障地点）を設定し、故障電流計算手段５０３は、時刻周期設定手段５０２によって設定された時刻または周期で故障電流計算を実行する。
【００６６】
このとき故障電流計算手段５０３は、時刻周期設定手段５０２によって設定された任意の時刻または任意の周期で故障情報設定手段５０４が設定した想定故障内容と、つながり情報ファイル１１０に格納されている情報と、負荷予測手段６０２が予測した将来の任意の時刻における負荷電流情報ファイル１０８´に格納されている情報と、区間負荷電流情報ファイル１０９´に格納されている情報と、諸元情報ファイル１１１に格納されている情報とを用いて故障電流値を算出する。
【００６７】
適正整定値算出手段１０４は、故障電流計算手段５０３が算出した故障電流値から設定すべき故障電流検出リレーの整定値を求める。適正整定値算出手段１０４が得た故障電流検出リレーの整定値は、整定値設定手段１０３へ通知される。整定値設定手段１０３は、遠方監視制御装置１０２を介して、故障電流検出リレー整定値を適正整定値へ設定制御する。
【００６８】
以上述べたように、第６の実施の形態によれば、将来の任意の時刻に配電系統を流れる電力の状況に応じたリレー整定値を把握することができ、電力状況の推移に遅滞なく、故障電流検出リレーの整定値を適正値へ設定制御することができる。この結果、故障電流の検出が正確にできるようになり、故障地点の判定を正確に実施することができる。
【００６９】
（第７の実施の形態）
図１１は、本発明による配電系統監視制御装置の第７の実施の形態を示す構成図である。本実施の形態による配電系統監視制御装置７０１は、図１１の構成図で示すように、１台で第１の実施の形態から第６の実施の形態に係わる配電系統監視制御装置の機能すなわち各種機能実現手段および各種情報ファイルを全て備え、かつこれら複数の機能の中から任意所望の機能を選択して実現できるように、機能活殺手段７０２を新たに設けるように構成したものである。
【００７０】
すなわち、配電系統監視制御装置７０１は、第１の実施の形態に係わる配電系統監視制御装置１０１、第２の実施の形態に係わる配電系統監視制御装置２０１、…第６の実施の形態に係わる配電系統監視制御装置６０１の機能を実現できるように遠方監視制御装置１０２、各種手段１０３〜１０７、２０２、３０２，３０３、５０２〜５０４、７０２、７０３、６０２、６０３および情報１０８´〜１１１まで全て備えている。そして機能活殺手段７０２によっていずれか一つの実施の形態の機能あるいは２つ以上の実施の形態を併せた場合の機能を選択して実現することができるように構成したものである。
【００７１】
以上述べたように第７の実施の形態によれば、１台の装置に第１の実施の形態から第６の実施の形態に係わる配電系統監視制御装置の機能を全て備え、かつ機能活殺手段７０２によりこれら複数の機能の中から必要により任意に選択した機能を実現できるように構成したので、配電系統の運用方法または各故障電流検出リレーの特性に応じて、故障電流検出リレーの使い分けを可能とすることができる。
【００７２】
【発明の効果】
以上述べたように、本発明によれば、配電系統が系統操作、拡張または変更などによって変化した場合、あるいは配電系統に流れる電流が電力需要の推移により変化した場合であっても、変化後において区分開閉器に装備された故障電流検出リレーの整定値が変化しても、速やかに変化後の配電系統側の配電線用遮断器に装備された故障電流検出リレーと整合する整定値に再設定し、常に故障電流検出リレー間の保護協調をとるように構成したので、配電線用遮断器が遮断したのに、区分開閉器に装備した故障電流検出リレーが故障電流を検出しないというような不一致になる事態を防止することができ、故障地点判定の誤りを防止することができる。
【図面の簡単な説明】
【図１】本発明による配電系統監視制御装置の第１の実施の形態を示す構成図。
【図２】第１の実施の形態における負荷電流情報ファイルの構成を示す図。
【図３】第１の実施の形態における区間負荷電流情報ファイルの構成を示す図。
【図４】第１の実施の形態における諸元情報ファイルの構成を示す図。
【図５】第１の実施の形態における負荷曲線情報ファイルの構成を示す図。
【図６】本発明による配電系統監視制御装置の第２の実施の形態を示す構成図。
【図７】本発明による配電系統監視制御装置の第３の実施の形態を示す構成図。
【図８】本発明による配電系統監視制御装置の第４の実施の形態を示す構成図。
【図９】本発明による配電系統監視制御装置の第５の実施の形態を示す構成図。
【図１０】本発明による配電系統監視制御装置の第６の実施の形態を示す構成図。
【図１１】本発明による配電系統監視制御装置の第７の実施の形態を示す構成図。
【符号の説明】
１０１…配電系統監視制御装置、１０２…遠方監視制御装置、１０３…整定値設定手段、１０４…適正整定値算出手段、１０５…リレー整定値設定情報、１０６…整定値監視条件、１０７…整定値監視手段、１０８、１０８´…負荷電流情報、１０９、１０９´…区間負荷電流情報、１１０…つながり情報、１１１…諸元情報、２０１…配電系統監視制御装置、２０２…整定値入力手段、３０１…配電系統監視制御装置、３０２…設備変更内容判定手段、３０３…設備変更内容判定条件、４０１…配電系統監視制御装置、５０１…配電系統監視制御装置、５０２…時刻周期設定手段、５０３…故障電流計算手段、５０４…故障情報設定手段、６０１…配電系統監視制御装置、６０２…負荷予測手段、６０３…負荷曲線情報、７０１…配電系統監視制御装置、７０２…機能活殺手段、ＦＣＢ−Ａ，ＦＣＢ−Ｂ…配電線用遮断器、ＳＷ−Ａ〜ＳＷ−Ｅ…開閉器、ＤＡ，ＤＢ…配電系統、ＤＡ１〜ＤＢ２…配電区間、Ｒｙ−ＦＡ，Ｒｙ−ＦＢ，Ｒｙ−Ａ〜Ｒｙ−Ｅ…故障電流検出リレー。
【図１】
2004343922.tif 000003
【図２】
2004343922.tif 000004
【図３】
2004343922.tif 000005
【図４】
2004343922.tif 000006
【図５】
2004343922.tif 000007
【図６】
2004343922.tif 000008
【図７】
2004343922.tif 000009
【図８】
2004343922.tif 000010
【図９】
2004343922.tif 000011
【図１０】
2004343922.tif 000012
【図１１】
2004343922.tif 000013